(57)【特許請求の範囲】
【請求項１】
上方開放状の容器本体と、この容器本体の上端開口部を塞ぐシート状の蓋とからなり、容器本体はこれの開口上縁全周からフランジを外方へ張り出しており、そのフランジの上面の全周にわたって前記蓋の内面が再剥離可能に接着された即席食品用容器において、
前記フランジの周方向一部の内側に、湯切り溝を有する湯切り部を設けてあり、この湯切り部のフランジの外周縁部の周方向全周または一部は他のフランジ外周縁部よりも内方へ偏倚させる形に形成しており、このフランジ外周縁部の偏倚箇所の上方から外方へ蓋の外周縁一部をはみ出すよう構成しており、
前記湯切り溝の上方に対応する蓋の一部に切離線を設けていることを特徴とする即席食品用容器。
【請求項２】
前記切離線は蓋の一部を切り離すよう構成されている請求項１記載の即席食品用容器。
【請求項３】
前記切離線は谷折り状に折り曲げられるよう構成されている請求項１記載の即席食品用容器。
【発明の詳細な説明】
【０００１】
【発明の属する技術分野】
本発明は、焼きそばなど即席食品を収容する容器に関する。
【０００２】
【従来の技術】
この種の即席食品用容器は即席食品が収容される容器本体の開口上縁全周からフランジを外方へ張り出しており、そのフランジの上面の全周にわたってシート状の蓋を熱融着により再剥離可能に接着して容器本体の上端開口部を密封状に塞いでいる。そして、焼きそば等即席食品の食用に際しては即席食品を熱湯により解した後、湯切り口の上方を覆う蓋の一部を剥がして当該箇所から湯を排出するようになっている。そのとき蓋の一部をつまみ易くするために、蓋の外周縁一部から舌片状のつまみ部片を一体に突設している。
【０００３】
【発明が解決しようとする課題】
しかるに、上記蓋の場合、蓋を湯切りのための適正な開口量だけ容器本体から常に剥がせるというものではなかった。
【０００４】
本発明の目的は、このような問題を解決するためになされたものであり、容器本体のフランジに接着した蓋を湯切り部の上方で剥がす際、蓋の外周縁一部をつまんで湯切りのための適正な開口量だけ容易に剥がすことができる即席食品用容器を提供することにある。
【０００５】
【課題を解決するための手段】
本発明は、上方開放状の容器本体と、この容器本体の上端開口部を塞ぐシート状の蓋とからなり、容器本体はこれの開口上縁全周からフランジを外方へ張り出しており、そのフランジの上面の全周にわたって前記蓋の内面が再剥離可能に接着される即席食品用容器において、前記フランジの周方向一部の内側に、湯切り溝を有する湯切り部を設けてあり、この湯切り部のフランジの外周縁部の周方向全周または一部は他のフランジ外周縁部よりも内方へ偏倚させる形に形成しており、このフランジ外周縁部の偏倚箇所の上方から外方へ蓋の外周縁一部をはみ出すよう構成しており、前記この湯切り溝の上方に対応する蓋の一部に切離線を設けていることに特徴を有するものである。
この場合において、上記切離線は蓋の一部を切り離すよう構成したり、谷折り状に折り曲げられるよう構成したりすることができる。
【０００６】
【作用】
上記構成の即席食品用容器によれば、蓋の外周縁一部をつまみ、湯切り溝の上方の切離線に沿って湯切りのための適正な開口量だけ容易に剥がすことができ、湯切り口を容易に開口することができる。
【０００７】
【発明の実施の形態】
本発明の好適な実施形態を図面に基づき説明する。図１は即席食品用容器の容器本体の平面図、図２は図１におけるＡ−Ａ線断面図、図３は図１におけるＢ−Ｂ線断面図、図４は図１におけるＣ−Ｃ線断面図、図５は湯切り部の平面図、図６は湯切り状態を示す断面図である。
【０００８】
本発明に係る即席食品用容器は、図１、図２に示すように、上方開放状の容器本体１とシート状の蓋２とからなる。容器本体１は、発泡ポリスチレン等の発泡樹脂材もしくは非発泡樹脂材、または紙材等を成形したもので、図示例の実施態様では平面長方形の椀状に成形してある。図示例の容器本体１は、長方形の底壁３と、この底壁３の全周から上方へ拡開状に立ち上げた周壁５とを有する平面長方形の椀状に成形している。容器本体１の周壁５の開口上縁５ａの全周からフランジ６を外方へ一体に張出し形成している。
【０００９】
そして、フランジ６の４辺のうち、隣り合う２つの辺６ａ，６ａは上面の幅が広い幅広フランジに形成しているのに対し、他の隣り合う２つの辺６ｂ，６ｂはこれの過半部の上面の幅が前記幅広フランジの上面幅よりも狭い幅狭フランジに形成し、その２つの辺６ｂ，６ｂの余部の上面は前記幅広フランジに連続する幅広フランジに形成している。例えば、フランジ６の幅広部分の上面幅は約１４mm、幅狭部分の上面幅は約１０mmとする。そのフランジ６の幅狭部分は、蓋２との協働作用で湯注ぎ口を作る箇所である。
【００１０】
フランジ６の２辺６ａ，６ａの交わるコーナ部は前記開口上縁５ａから外方へ張り出してあるもので、このコーナ部の上面幅は幅狭に形成していて、このコーナ部ではフランジ６の内側に湯切り部８が形成される。図１ないし図４に示すように、湯切り部８は、フランジ６の上面と同じ高さの山部９と、この山部９の両側に位置する湯切り溝１０，１０とを有しており、湯切り溝１０，１０は容器本体１の内外方向にわたって形成されている。その湯切り溝１０の内端部は容器本体１の内部と連通するよう形成され、外端部はフランジ６の上面の内側で塞き止められる形に形成されてフランジ６の上面に接着された蓋２により密封されるようにしてある。
【００１１】
図１及び図３に示すように、フランジ６の湯切り部８が形成されている箇所の外周縁部６１（６１ａ）の２箇所はそのフランジ６の他の箇所の外周縁部６１ｂよりも内方へ入り込むように偏倚されている。そして、それら２箇所の偏倚箇所６１ａ，６１ａには、フランジ６の上面よりも低い位置からフランジ６の他の箇所の外周縁部６１ｂに揃う位置まで外方へ張り出した張出片６２が段状に備わっている。この実施形態では、上記した２箇所の偏倚箇所６１ａ，６１ａが前記山部９の両側の間隔を隔てた２箇所に形成されている。
【００１２】
このように、フランジ６の偏倚箇所６１ａ，６１ａの各下部の低い位置から張出片６２を張出し、この張出片６２の外周縁を他の箇所６１ｂの外周縁と同一線上に揃えておくことにより、容器本体１を多数個取り成形して容器本体１を個々に切り離す場合は、容器本体１のフランジ６の最外周縁に凹凸をつけることなく真っ直ぐにカットすればよくなるため、その切り離し作業が容易に行える。しかし、この張出片６２は必ずしも必要とするものではなく、成形後に張出片６２を切り落としてもよい。または当初からこの張出片６２は無い形に成形することもできる。
【００１３】
一方、蓋２は、図２に示すように、紙製または合成樹脂製の基材１３の表面に印刷層１４を形成し、基材１３の裏面にアルミニウム箔あるいはシリカ蒸着等の防水層１５、ヒートシール性樹脂層１６を順次積層してなる可撓性を有する積層シートからなる。この蓋２は、容器本体１の平面四角形状のフランジ６の最外周縁回りの大きさとほぼ同じ大きさの四角形状に切断してなる。
【００１４】
上記のように構成された容器本体１には、即席食品１７として、例えば焼きそばが収容され、この即席食品１７の上には袋入り焼きそばソース、袋入りふりかけ１８などが別添される。しかる後、蓋２が容器本体１のフランジ６の上面全周に水平に載せられ、加熱プレスで蓋２のフランジ上方に対応する箇所がフランジ６に対し加熱加圧される。これにより蓋２はヒートシール性樹脂層１６を介してフランジ６の上面全周にわたって再剥離可能に熱融着され、容器本体１の上方開口部が密封状に塞がれる。
【００１５】
蓋２の熱融着に際しては、加熱プレスは蓋２の上面の外周領域全周を均等圧でその上方から加圧するので、フランジ６の幅広部分の上面ではその幅が広くて接着面積が広くなっている分だけ幅狭部分の上面よりも強く接着され、当該幅広部分での接着強度と、幅狭部分での接着強度とでは接着強度差が生じ、前者の幅広部分では強く接着し、後者の幅狭部分ではそれよりも接着力が弱くなる。
【００１６】
また、フランジ６の最外周縁回りの大きさとほぼ同じ大きさの四角形状に形成された蓋２は、フランジ６の偏倚箇所６１ａの上方に対応する一部２ａが、図３、図５に示すように、偏倚箇所６１ａの上方から外方へはみ出す状態に接着される。このような蓋２の外周縁の一部２ａは、他の箇所２ｂの端と揃ってはいるものの偏倚箇所６１ａの上方から外方へはみ出しているので、当該箇所で蓋２を剥がすときにつまみ易くなる。なお、張出片６２が形成されている場合は、図３に示すように、この張出片６２と蓋２の外周縁一部２ａとの間に空隙が形成され、この空隙に外周縁一部２ａをつまむ指先を入れることができるため、蓋２の外周縁一部２ａをつまむのに支障を来すことはない。
また、図５に示すように、蓋２の、湯切り部８の上方に対応するコーナ部には、予めミシン目等による切離線２０が施されており、この切離線２０がフランジ６の一方の偏倚箇所６１ａから山部９を介し他方の偏倚箇所６１ａにわたって位置するように接着される。
【００１７】
上記のように構成された即席食品用容器は、食前の調理時に即席食品１７を解すための熱湯を容器本体１の内部に注ぎ入れるに先立って、フランジ６の二辺６ｂ，６ｂの幅狭部分の上方に対応する蓋２の外周縁一部をつまみ、これを開始点として引き剥がすことにより湯注ぎ口が開口される。このとき、フランジ６の幅広部分で蓋２との接着力が強くなっているので、当該フランジ６の幅広部分で蓋２を引き剥がすためにはそれまでの引き剥がし力よりも強い力が必要となる。このため、蓋２はフランジ６の幅狭部分と幅広部分との境界部を越えてまで開けることが抑止され、必要以上に湯注ぎ口を過大に開けることを防止できる。
【００１８】
このように開口された湯注ぎ口からは袋入り焼きそばソースや袋入りふりかけ１８などを取り出し、しかる後熱湯が注ぎ入れられる。
熱湯の注入後、即席食品１７が解されるまでの間は湯注ぎ口が一時的に蓋２で閉じられるが、このとき、蓋２は開き過ぎることなく所定開口量だけ開かれているので、湯注ぎ口を容易にかつ十分に閉塞することができる。
【００１９】
即席食品１７を解した後は湯切りする。この湯切り時には、湯切り部８におけるフランジ６の外周縁部６１の偏倚箇所６１ａより外方へはみ出た蓋２の外周縁一部２ａをつまみ、切離線２０に沿って剥がすことにより図６に示すごとく湯切り口１９を開口する。このとき、蓋２の外周縁一部２ａは、フランジ６の偏倚箇所６１ａの上方から外方へはみ出しているので、これを容易につまむことができ、当該蓋２の外周縁一部に舌片状のつまみ部片が突設されていなくとも蓋２を容易に剥がすことができる。その際、蓋２を切離線２０に沿って剥がすことにより開口する湯切り口１９は、湯切り溝１０の外端部を開放するとともに内端部上方を覆う所定開口量だけ開かれ、解された即席食品１７は、湯切り時に、湯切り溝１０から湯と一緒に流れ出るのを防ぐことができる。
なお、蓋２は切離線２０に沿って切り離すことなく、その切離線２０部分で谷折り状に折り曲げるようにすることもできる。
【００２０】
上記実施例では湯切り部８のフランジ６の外周縁部６１の周方向一部を他のフランジ外周縁部６１ｂよりも内方へ入り込み状に偏倚させ、この偏倚箇所６１ａの上方から外方へはみ出る蓋２の外周縁一部２ａをつまみ易いように構成しているが、これに代えて、図７に示すようにフランジ６の湯切り部８が形成されている箇所の外周縁部６１の全体を内方へ偏倚させた偏倚箇所６１ａを形成しておいてもよく、そうした場合には偏倚箇所６１ａの上方から蓋２のコーナ部の外周縁を外方へはみ出させてつまみ易いように構成することもできる。この場合においても、その偏倚箇所６１ａに、フランジ６の上面よりも低い位置から前記偏倚箇所６１ａの両側に位置するフランジ６の外周縁部６１に揃う位置まで外方へ張り出した張出片６２を設け、この張出片６２を残すか、切り落とすことができる。
【００２１】
また、上記実施例では蓋２のフランジ６に対する接着強度差を生じさせるために、フランジ６に幅広部と幅狭部とを設けてあるが、本発明はフランジ６がこれの全周にわたって同じ幅に形成される場合にも同様に適用できる。
容器本体１は平面長方形に成形されるものに限定されず、平面正方形あるいはその他の多角形に形成されるもの、または円形や、楕円形に形成されるものにも同様に適用できる。蓋２の接着手段としては、上記実施例の熱融着に代えて、食品安全性を有する接着剤を用いて接着することもできる。
【００２２】
【発明の効果】
本発明によれば、湯切りに際し、蓋の外周縁一部をつまみ切離線に沿って剥がすことにより湯切りのための適正な開口量だけ容易に湯切り口を開けることができる。
【図面の簡単な説明】
【図１】  即席食品用容器の容器本体の平面図である。
【図２】  図１におけるＡ−Ａ線断面図である。
【図３】  図１におけるＢ−Ｂ線断面図である。
【図４】  図１におけるＣ−Ｃ線断面図である。
【図５】  湯切り部の平面図である。
【図６】  湯切り状態を示す断面図である。
【図７】  他の実施例を示す容器本体の湯切り部の平面図である。
【符号の説明】
１  容器本体
２  蓋
２ａ  蓋の外周縁一部（つまみ部）
６  フランジ
１０  湯切り溝
２０  切離線
【図１】
0003706843.tif 000002
【図２】
0003706843.tif 000003
【図３】
0003706843.tif 000004
【図４】
0003706843.tif 000005
【図５】
0003706843.tif 000006
【図６】
0003706843.tif 000007
【図７】
0003706843.tif 000008